(57)【要約】【課題】      心電計用電極の接続や取外しを効率的に行えるようにし、接続を正確に行えるようにする。【解決手段】  心電計用電極１は、人体に貼付ける電極パッド５、リード線６、心電計に対して電気的に接続する接触子７を有する複数本の電極３と、各接触子７の接続端側を外部に突出させた状態で各接触子７を収容する筒状収容部を有する保持ケース４と、を備える。したがって、複数本の電極３を纏めて一括して接続・取外しが可能であり、また間違えることなく正確に接続できる。【選択図】    図１
2005103135.tif 000002
【特許請求の範囲】
【請求項１】
人体に貼付ける電極パッド、電極パッドから伸長するリード線およびリード線の端末に取付けられ、心電計に対して電気的に接続する接触子を有する複数本の電極と、
各接触子の接続端側を外部に突出させた状態で各接触子を収容する筒状収容部を有する保持ケースと、を備える心電計用電極。
【請求項２】
保持ケースが、一枚の紙製又は合成樹脂製のシートの折曲物でなる請求項１記載の心電計用電極。
【請求項３】
筒状収容部に各リード線の挿通孔を設け、該挿通孔を設けた筒状収容部の壁部を前記接触子の挿抜方向に沿って分断して筒状収容部を開閉する分割扉片を設けた請求項１又は請求項２記載の心電計用電極。
【請求項４】
電気絶縁性合成樹脂でなるハウジングに複数の端子収容孔を形成し、各端子収容孔に心電計用電極の接触子と心電計の接続子とを電気的に接続する接続端子を取付けたアダプタ本体と、端子収容孔と整合する心電計用電極の接触子の挿通孔を複数形成したフロントプレートを有し、アダプタ本体に対して該接触子の挿抜方向で相対的にスライド可能なスライドカバーと、を備える心電計用電極のリードアダプタ。
【請求項５】
回転操作する操作ハンドルと、操作ハンドルの回転軸に対して偏心状態で取付けたカム板とを備え、スライドカバーに、操作ハンドルの回転操作と連動するカム板の回転軌道に沿ったカム孔を形成し、操作ハンドルの回転操作によりスライドカバーをスライド可能とした請求項４記載の心電計用電極のリードアダプタ。
【請求項６】
操作ハンドルを回転位置から初期位置に復帰させるコイルばねを備える請求項５記載の心電計用電極のリードアダプタ。
【発明の詳細な説明】
【技術分野】
【０００１】
この発明は、誘導心電図検査を行う際に使用する心電計用電極と、心電計用電極を心電計に接続するリードアダプタに関する。
【背景技術】
【０００２】
誘導心電図検査は、人体に心電計用電極を貼付けて心電図を出力し、心電図から患者の疾患を読取る検査である。この検査に使用する心電計用電極は、複数本の電極で構成されている。各電極は、人体に貼付ける電極パッドと、電極パッドから伸長するリード線と、リード線の末端に取付けられて心電計の接続端に接続する接触子とで構成され、例えば四肢誘導であれば、左手（Ｌ：黄（リード線の被覆層の色で以下同様。））、右手（Ｒ：赤）、左足（ＬＦ：緑）、右足（ＲＦ：黒）に各々取付ける、４本の電極で構成される。また、胸部誘導であれば、第４肋間胸骨右縁（Ｃ１：赤）、第４肋間胸骨左縁（Ｃ２：黄）、Ｃ２とＣ４の中間（Ｃ３：緑）、左鎖骨中線第５肋間（Ｃ４：茶）、左前腋窩線上でＣ４と同高位置（Ｃ５：黒）、左中腋窩線上でＣ４と同高位置（Ｃ６：紫）に各々取付ける、６本の電極で構成される。各電極は、このようにリード線の被覆層の色で区別するようにしており、その色に応じて心電計の対応する接続端に対して接続して使用する。
【発明の開示】
【発明が解決しようとする課題】
【０００３】
しかしながら、上記のような従来の心電計用電極は、各電極を１本ずつ心電計の接続端に接続して使用するため、接続作業が面倒である。特に最近では、衛生上の観点から、患者ごとに心電計用電極を使い捨てる傾向にあり、この場合、使った電極を１本ずつ取外してから、新たな電極を１本ずつ接続しなければならないため、このことが検査効率を大きく低下させる要因ともなっている。また、このように心電計用電極を接続したり取外す際には、四肢誘導や胸部誘導といった検査の種類ごとに、リード線の被覆層の色に応じて、電極パッドを看者の所定箇所に貼付ける一方で、接触子を心電計の所定箇所に接続しなければならないため、間違って接触子を心電計に接続してしまう場合もある。
【０００４】
以上のような従来技術を背景になされたのが本発明である。その目的は、心電計用電極の接続や取外しを効率的に行えるようにするとともに、接続を正確に行えるようにすることにある。
【課題を解決するための手段】
【０００５】
上記目的を達成すべく本発明は、人体に貼付ける電極パッド、電極パッドから伸長するリード線およびリード線の端末に取付けられ、心電計に対して電気的に接続する接触子を有する複数本の電極と、各接触子の接続端側を外部に突出させた状態で各接触子を収容する筒状収容部を有する保持ケースと、を備える心電計用電極を提供する。
【０００６】
本発明によれば、複数本の電極が、各接触子の接続端側を外部に突出させた状態で各接触子を収容する筒状収容部を有する保持ケースにて保持されるため、複数本の電極を心電計の接続端に対して正確に一括して接続可能であり、また一括して取外しも可能である。よって、心電計用電極の接続を正確且つ効率的に、また取外しを効率的に行うことができる。
【０００７】
前記心電計用電極は、各接触子に、筒状収容部の内部から当接する抜止め部を設けたものとして構成できる。
【０００８】
本発明によれば、抜止め部によって各接触子の筒状収容部からの離脱を回避できる。
【０００９】
前記心電計用電極は、保持ケースが、一枚の紙製又は合成樹脂製のシートの折曲物でなるものとして構成される。また、前記心電計用電極は、保持ケースが、前記接触子の挿通孔を形成した正面部、正面部の上端から接触子の基端方向へ伸長する天面部、正面部の下端から接触子の基端方向へ伸長する底面部、接触子の基端又はリード線の挿通孔を有し、天面部から底面部にかけて伸長する背面部、背面部の下端から伸長して底面部と面接合する接合部とを、一枚の紙製又は合成樹脂製のシートを曲折して形成したものとして構成できる。
【００１０】
これらの本発明によれば、保持ケースが、一枚の紙製又は合成樹脂製のシートの折曲物でなるので、保持ケースを簡易且つ低コストで構成することができ、また心電計用電極を廃棄する等の際には、紙製又は合成樹脂製の保持ケースを切断して容易に電極との分別ができる。よって、使い捨て用の心電計用電極として構成できる。
【００１１】
前記心電計用電極は、筒状収容部に各リード線の挿通孔を設け、該挿通孔を設けた筒状収容部の壁部を前記接触子の挿抜方向に沿って分断して筒状収容部を開閉する分割扉片を設けたものとして構成できる。また、前記心電計用電極は、前記背面部の各挿通孔から背面部の下端側とは反対側の接合部の端部にかけて前記接触子の挿抜方向に沿って分断し、筒状収容部を開閉する分割扉片として構成できる。
【００１２】
これらの本発明によれば、分割扉片の開閉により、筒状収容部に対する電極の接触子の取付け・取外しを容易に行える。また、保持ケースを切断せずに保持ケースと電極の分別を容易に行える。よって、使い捨て用の心電計用電極として構成できる。
【００１３】
また、上記目的を達成すべく本発明は、電気絶縁性合成樹脂でなるハウジングに複数の端子収容孔を形成し、各端子収容孔に心電計用電極の接触子と心電計の接続子とを電気的に接続する接続端子を取付けたアダプタ本体と、端子収容孔と整合する心電計用電極の接触子の挿通孔を複数形成したフロントプレートを有し、アダプタ本体に対して該接触子の挿抜方向で相対的にスライド可能なスライドカバーと、を備える心電計用電極のリードアダプタを提供する。
【００１４】
本発明によれば、心電計用電極の接触子の抜去方向で、スライドカバーと共にスライドするフロントプレートによって、アダプタ本体の端子収容孔に差込んだ複数本の電極の接触子を押し出して、一括して抜去することができるので、心電計用電極を効率的に取外せる。
【００１５】
前記心電計用電極のリードアダプタは、回転操作する操作ハンドルと、操作ハンドルの回転軸に対して偏心状態で取付けたカム板とを備え、スライドカバーに、操作ハンドルの回転操作と連動するカム板の回転軌道に沿ったカム孔を形成し、操作ハンドルの回転操作によりスライドカバーをスライド可能としたものとして構成できる。
【００１６】
本発明によれば、看護婦など力の弱い女性であっても、複数本の接触子の一括抜去を操作ハンドルの回転と連動するカム動作によって小さな力で楽に行える。
【００１７】
前記心電計用電極のリードアダプタは、操作ハンドルを回転位置から初期位置に復帰させるコイルばねを備えるものとして構成できる。
【００１８】
本発明によれば、コイルばねによって操作ハンドルが回転位置から自動復帰するので、次に心電計用電極を接続する際に操作ハンドルを回転操作してスライドカバーを初期位置に戻す手間が省ける。
【００１９】
前記心電計用電極のリードアダプタは、アダプタ本体に、他のリードアダプタと連結する連結板を備えるものとして構成できる。
【００２０】
本発明によれば、複数個のリードアダプタの取扱性を向上できる。
【００２１】
前記心電計用電極のリードアダプタは、掛止め用の鉤片を有し、複数個のリードアダプタを取付可能なブラケットを備えるものとして構成できる。
【００２２】
本発明によれば、ブラケットの掛止め用の鉤片を、看者が横になるベッドのフレームなどに引っ掛けておくことができ、リードアダプタの据付け性を向上できる。
【００２３】
前記心電計用電極のリードアダプタにおける心電計用電極は、前述した本発明の心電計用電極を用いることができる。
【発明の効果】
【００２４】
本発明の心電計用電極によれば、心電計の接続端に対する複数本の電極の接続を正しく効率的に行うことができ、また取外しも効率的に行うことができるので、心電計用電極の接続作業や取外し作業に手間取ることなく、検査効率を向上することができる。
【００２５】
本発明の心電計用電極のリードアダプタによれば、複数本の電極を有する心電計用電極の取外しを効率的に行うことができるので、心電計用電極の取外し作業に手間取ることなく、検査効率を向上することができる。
【発明を実施するための最良の形態】
【００２６】
以下、本発明の実施の形態について図面を参照しつつ説明する。なお、各実施形態で共通する構成については、重複説明を省略する。
【００２７】
図１には、本形態の心電計用電極１とリードアダプタ２を示してある。これらを使用するには、心電計用電極１をリードアダプタ２に接続し、リードアダプタ２に図外の心電計に備えるコネクタを接続させて使用する。なお、本形態では、胸部誘導に使用する心電計用電極１とリードアダプタ２について説明する。
【００２８】
心電計用電極１〔図１，図２〕：  心電計用電極１は、６本の電極３と、これらの電極３を並列に横並び状態で保持する保持ケース４とを備えている。各電極３は、人体に貼付ける電極パッド５、電極パッド５から伸長するリード線６、リード線６の端末に取付けられ、心電計に対して電気的に接続する接触子７とを備えており、何れも同じ構成とされている。ただ、各リード線６の被覆層の色は、Ｃ１〜Ｃ６の順に、それぞれ赤、黄、緑、茶、黒、紫として色分けされている。各接触子７の構造は、電気絶縁性合成樹脂で形成した筒状カバー７ａの内部に、リード線６の導線に接続した図外の雌端子を備えたものとなっている。
【００２９】
一方、保持ケース４は、本形態のものは１枚の紙製のシートを折り曲げて形成した折曲物として構成されている。具体的には、各接触子７の挿通孔４ａを形成した正面部４ｂ、正面部４ｂの上端から接触子７の基端方向へ伸長する天面部４ｃ、正面部４ｂの下端から接触子７の基端方向へ伸長する底面部４ｄ、リード線６の挿通孔４ｅを有し、天面部４ｃから底面部４ｄにかけて伸長する背面部４ｆ、背面部４ｆの下端から伸長して底面部４ｄと図外の両面テープ等によって面接合する接合部４ｇとを、一枚の紙製のシートを折り曲げて形成したものである。このうち、正面部４ｂ、天面部４ｃ、底面部４ｄ、背面部４ｆが、各接触子７の接続端側を外部に突出させた状態で各接触子７を収容する“筒状収容部”を形成している。この筒状収容部に各接触子７を収容するには、背面部４ｆと接合部４ｇが、挿通孔４ｅから接合部４ｇの面端にかけて切断されており、筒状収容部を開閉する分割扉片４ｈとなっているので、これを利用する。つまり、分割扉片４ｈを開状態として、各電極３の接触子７の取付けや取外しを行えばよい。そして、各接触子７は、筒状カバー７ａの先端側に形成した先端側よりも大径で環状の当接面７ｂから基端面７ｃまでの長さが、筒状収容部をなす正面部４ｂの内面から背面部４ｆの内面までの長さと略等長となっている。したがって、各接触子７を取付けた状態では、接触子７の筒状カバー７ａの当接面７ｂが“抜止め部”として正面部４ｂに対し内側から突き当たって抜止めされる。また反対側では、筒状カバー７ａの基端面７ｃが“抜止め部”として、背面部４ｆに対し内側から突き当たって抜止めされる。このようにして、接触子７は、当接面７ｂから基端面７ｃまでの長さが、保持ケース４からの離脱が防止され、各接触子７はしっかりと保持ケース４に保持される。したがって、この心電計用電極１によれば、間違えることなくすべての接触子７を一括して接続することができる。
【００３０】
リードアダプタ２〔図３，図４〕：  リードアダプタ２は、図３で示すように、アダプタ本体８、スライドプレート９、カム板１０、回転板１１、コイルばね１２、固定板１３、操作ハンドル１４、およびネジＮ１，Ｎ２，Ｎ３で構成される。
【００３１】
アダプタ本体８は、電気絶縁性合成樹脂でなるハウジング８ａに複数の端子収容孔８ｂを形成し、各端子収容孔８ｂに心電計用電極１の接触子７と図外の心電計のコネクタとを電気的に接続する図外の接続端子を取付けたものである。この接続端子は、心電計用電極１の接触子７との接続側が雄端子となっており、心電計のコネクタとの接続側が雄端子と導電接続される雌端子となっており、ハウジング８ａに形成したネジ孔８ｃに挿通した図外のネジによって、端子収容孔８ｂの内部で固定される。ハウジング８ａには、ネジＮ１の挿通孔８ｄが厚み方向に沿って貫通形成されるとともに、各側面にそれぞれ２つのネジ孔８ｅ（図７参照）が、また底面に４つのネジ孔８ｆ（図８参照）が形成されている。ハウジング８ａの端子収容孔８ｂの孔径は、接触子７の外径と略等径である。
【００３２】
スライドプレート９は、トッププレート９ａ、２枚のサイドプレート９ｂ、フロントプレート９ｃで構成される。トッププレート９ａには、カム孔９ｄが貫通形成されている。一対のサイドプレート９ｂは、その内側面が、ハウジング８ａの側面と接触するかしないかの間隔で対向して形成されている。このためサイドプレート９ｂは、スライドプレート９のスライドをガイドするようになっている。フロントプレート９ｃには、ハウジング８ａの端子収容孔８ｂと同心同径で整合する接触子７の挿通孔９ｅが貫通形成されている。
【００３３】
カム板１０は円形で、回転によってスライドプレート９のカム孔９ｄと回転係合するものである。カム板１０には、貫通孔１０ａ、ノッチ１０ｂ、２つの小突起１０ｃ、ネジＮ２の挿通孔１０ｄが形成されている。
【００３４】
回転板１１は円形で、操作ハンドル１４の回転とともに回転する。回転板１１には、コイルばね１２の収容孔１１ａ、カム板１０の小突起１０ｃを嵌め込む小孔１１ｂ、ネジＮ２，Ｎ３の挿通孔１１ｃ，１１ｄが形成されている。
【００３５】
コイルばね１２は、ステンレスばね材を密着巻きしたもので、その上端部１２ａは固定板１３に対して固定され、その下端部１２ｂはカム板１０のノッチ１０ｂに対して掛け止められる。
【００３６】
固定板１３は、凸形状であり、円板状の上部１３ａには直径に沿う溝１３ｂが形成されている。この溝１３には、コイルばね１２の上端部１２ａを挿通させる固定孔１３ｃが貫通形成されている。上部１３ａから下向きに突出する円筒部１３ｄは、カム板１０の貫通孔１０ａと略等径であり、貫通孔１０ａに差込まれるようになっている。また円筒部１３ｄには、ネジＮ１と螺合するネジ孔１３ｅが形成されている。
【００３７】
操作ハンドル１４は、角棒状であり、その底面には、固定板１３の上部１３ａを受け入れる凹部１４ａと、ネジＮ２，Ｎ３が螺合する２つのネジ孔１４ｂが形成されている。
【００３８】
以上の各部材の組立方の一例を説明すると、カム板１０の小突起１０ｃを回転板１１の小孔１１ｂに嵌め込み、コイルばね１２を回転板１１の収容孔１１ａに収容するとともに、コイルばね１２の下端部１２ｂをカム板１０のノッチ１０ｂに掛け止める。次に、コイルばね１２の上端部１２ａを、固定板１３の溝１３ｂに形成した固定孔１３ｃに挿通させつつ、コイルばね１２の内側に固定板１３の円筒部１３ｄを差込ませる。固定孔１３ｃから突出したコイルばね１２の上端部１２ａの部分は、溝１３ｂの内部で折り倒す。そして、操作ハンドル１４の凹部１３ａに、固定板１３の上部１３ａを納めた状態で、ネジＮ２，Ｎ３を使って操作ハンドル１４を固定する。最後に、スライドプレート９のカム孔９ｄの内側にカム板１０を入れた状態で、スライドプレート９をアダプタ本体８に取付け、ネジＮ１を固定板１３のネジ孔１３ｅに螺合する。以上のようにして、リードアダプタ２が組み立てられる。
【００３９】
次に、リードアダプタ２の動作を説明する。リードアダプタ２と心電計用電極１の接触子７との接続状態が、図５（ａ）である。この初期状態から、操作ハンドル１４を矢示方向に回転させる。すると、カム板１０は偏心状態で回転板１１に固定されているため、カム板１０は偏心回転し、その結果、図５（ｂ）で示すように、偏心回転を受けるカム孔９ｄを有するスライドプレート９は、接触子７の抜去方向へスライドして、フロントプレート９ｃが、保持ケース４の正面部４ｂに押接する。そして、カム板１０の偏心回転が停止するまで、そのまま操作ハンドル１４を回転させ続けると、図５（ｃ）で示すように、スライドプレート９は、接触子７が略抜去された状態となるまでスライドする。以上のようにして、このリードアダプタ２では、操作ハンドル１４を回転操作すれば、小さな力で心電計用電極１の６つの接触子７を一括して容易に取外すことができる。
【００４０】
そして、心電計用電極１を取外した後は、操作ハンドル１４から手を離せば、操作ハンドル１４とスライドプレート９は、図５（ａ）の初期状態に自動復帰する。つまり、操作ハンドル１４を回転させない図５（ａ）の初期状態、すなわち図６（ａ）では、コイルばね１２には何も力が加えられない状態となっている。そして、９０°回転させた図５（ｂ）の状態では、コイルばね１２は、その上端部１２ａが、操作ハンドル１４の回転と絶縁している固定板１３に固定されており、その下端部１２ｂがカム板１０に係合しているので、下端部１２ｂがコイルばね１２を縮径させるように９０°回転する。したがって、これによって弾発的な復帰力がコイルばね１２に生じる。そして、さらに操作ハンドル１４を１８０°回転させた図５（ｃ）の状態では、コイルばね１２の下端部１２ｂが、コイルばね１２をさらに縮径させるように１８０°回転することになる。したがって、さらに強い弾発的な復帰力がコイルばね１２に生じる。この結果、操作の手を離せば、コイルばね１２の復帰力によって、操作ハンドル１４とスライドプレート９は、図５（ａ）の初期状態に自動復帰することとなる。
【００４１】
上記リードアダプタ２は、例えば図７で示すように、連結板１５を備えるものとしてもよい。具体的には、２つのリードアダプタ２を底面どうしを合わせるようにし、ネジＮ４を、連結板１５の挿通孔１５ａに挿通してから、各リードアダプタ２，２のネジ孔８ｅに螺合させればよい。これによれば、複数個のリードアダプタの取扱性を向上できるようになる。
【００４２】
また、上記リードアダプタ２は、例えば図８で示すように、ブラケット１６を備えるものとしてもよい。ブラケット１６には、掛止め用の鉤部１６ａが形成されており、ネジＮ５を、ブラケット１６の取付面部１６ｂに形成した挿通孔１６ｃに挿通してからアダプタ本体８のネジ孔８ｆに螺合させることで、各リードアダプタ２，２を取付けるようにする。これによれば、ブラケット１６の鉤片１６ａを、看者が横になるベッドのフレームなどに引っ掛けることができ、リードアダプタ２，２の据付け性を向上できる。
【００４３】
さらに、上記リードアダプタ２は、操作ハンドル１４の回転によりスライドプレート９がスライドするものとしたが、例えば図９で示すものとして構成することも可能である。この例では、スライドプレート１７に円板状突起１７ａが形成されている。そして、スライドプレート１７の上には、固定プレート１８が設けてあり、固定プレート１８には円板状突起１７ａのスライドをガイドするガイド孔１８ａが貫通形成されている。この固定プレート１８は、アダプタ本体８に対してネジ止め等により固定されて不動である。そして、スライドプレート１７は、ネジＮ６を介して、固定プレート１８に載置した円形の操作板１９に対して固定される。したがって、このリードアダプタ２０によれば、操作板１９をスライド操作することで、スライドプレート１７がスライドし、心電計用電極１の接触子７を抜去方向へ一括して容易に押し出すことができる。
【００４４】
上記心電計用電極１については、保持ケース４として紙製のものを例示したが、合成樹脂製のものを利用してもよい。
【００４５】
上記心電計用電極１とリードアダプタ２については、胸部誘導用のものを例示したが、電極が４本の四肢誘導用のものとして構成することも勿論可能である。
【００４６】
上記リードアダプタ２については、心電計用電極１を接続するだけでなく、他の心電計用電極を接続することも可能である。例えば、心電計用電極１から電極３を取外し、電極３の接触子７を一本ずつ接続してもよい。この場合には、電極３における接触子７の当接面７ｂが、フロントプレート９ｃの押接を受けることで、複数本の電極３を纏めて一括抜去することが可能である。
【図面の簡単な説明】
【００４７】
【図１】一実施形態による心電計用電極とリードアダプタの外観斜視図。
【図２】図１の心電計用電極の外観斜視図。
【図３】図１のリードアダプタの分解斜視図。
【図４】図１のリードアダプタの拡大中央断面図。
【図５】図１のリードアダプタの動作説明図。
【図６】図１のリードアダプタの動作説明図。
【図７】図１の複数個のリードアダプタを連結する組立説明図。
【図８】図１の複数個のリードアダプタをブラケットに取付ける組立説明図。
【図９】リードアダプタの変形例を示す部分断面外観斜視図。
【符号の説明】
【００４８】
１    心電計用電極
２    リードアダプタ
３    電極
４    保持ケース
４ｅ  挿通孔
４ｈ  分割扉片
５    電極パッド
６    リード線
７    接触子
７ａ  筒状カバー
７ｂ  当接面
７ｃ  基端面
８    アダプタ本体
８ａ  ハウジング
８ｂ  端子収容孔
９    スライドプレート
９ｃ  フロントプレート
９ｄ  カム孔
１０    カム板
１４    操作ハンドル
１７    スライドプレート
２０    リードアダプタ
【図１】
2005103135.tif 000003
【図２】
2005103135.tif 000004
【図３】
2005103135.tif 000005
【図４】
2005103135.tif 000006
【図５】
2005103135.tif 000007
【図６】
2005103135.tif 000008
【図７】
2005103135.tif 000009
【図８】
2005103135.tif 000010
【図９】
2005103135.tif 000011